(57)【要約】【課題】台座ユニットの設置場所に多少の凹凸があっても使用可能で、不使用時には嵩張らずに収納でき、また、畳座敷の形状に限定されることのない高床座敷を提供すること。【解決手段】本考案の高床座敷は、方形の水平枠３０に脚３１を設けた台座ユニット２５と、この台座ユニット２５の水平枠３０の部分を複数個互いに連結する連結具２６と、前記台座ユニット２５の上に載せられる支持板２７と、この支持板２７の一部又は全部に載せられる畳２８とを具備し、前記支持板２７の下面に、水平枠３０の角隅に嵌合して位置ずれを防止するダボ３６を設け、前記台座ユニット２５の脚３１は、折り畳み自在としたことを特徴とするものである。一部の台座ユニット２５を取り除いたテーブル設置穴３９に昇降機４０で昇降可能なテーブル４２を設けることもできる。【選択図】図１
0003127227.tif 000002
【実用新案登録請求の範囲】
【請求項１】
方形の水平枠３０に脚３１を設けた台座ユニット２５と、この台座ユニット２５の水平枠３０の部分を複数個互いに連結する連結具２６と、前記台座ユニット２５の上に載せられる支持板２７とを具備したことを特徴とする高床座敷。
【請求項２】
方形の水平枠３０に脚３１を設けた台座ユニット２５と、この台座ユニット２５の水平枠３０の部分を複数個互いに連結する連結具２６と、前記台座ユニット２５の上に載せられる支持板２７と、この支持板２７の一部又は全部に載せられる畳２８とを具備したことを特徴とする高床座敷。
【請求項３】
支持板２７の下面に、水平枠３０の角隅に嵌合して位置ずれを防止するダボ３６を設けたことを特徴とする請求項１又は２記載の高床座敷。
【請求項４】
台座ユニット２５の脚３１は、折り畳み自在としたことを特徴とする請求項１又は２記載の高床座敷。
【請求項５】
複数個の台座ユニット２５を連結具２６で互いに連結した一部の台座ユニット２５を取り除いてテーブル設置穴３９とし、このテーブル設置穴３９に昇降機４０で昇降可能なテーブル４２を設けたことを特徴とする請求項１又は２記載の高床座敷。
【請求項６】
方形の水平枠３０に脚３１を設けた台座ユニット２５と、この台座ユニット２５の水平枠３０の部分を複数個互いに連結する連結具２６と、前記台座ユニット２５の上に載せられる支持板２７と、この支持板２７の一部又は全部に載せられる畳２８とを具備し、前記支持板２７の下面に、水平枠３０の角隅に嵌合して位置ずれを防止するダボ３６を設け、前記台座ユニット２５の脚３１は、折り畳み自在とし、複数個の台座ユニット２５を連結具２６で互いに連結した一部の台座ユニット２５を取り除いてテーブル設置穴３９とし、このテーブル設置穴３９に昇降機４０で昇降可能なテーブル４２を設けたことを特徴とする高床座敷。
【請求項７】
方形の水平枠３０に脚３１を設けた台座ユニット２５と、この台座ユニット２５の水平枠３０の部分を複数個互いに連結する連結具２６と、前記台座ユニット２５の上に載せられる支持板２７と、この支持板２７の一部又は全部に載せられる畳２８とを具備し、前記支持板２７の下面に、水平枠３０の角隅に嵌合して位置ずれを防止するダボ３６を設け、前記台座ユニット２５の脚３１は、折り畳み自在とし、複数個の台座ユニット２５を連結具２６で互いに連結した一部の台座ユニット２５を取り除いてテーブル設置穴３９とし、このテーブル設置穴３９に着脱自在のこたつやぐら４３を設けたことを特徴とする高床座敷。
【考案の詳細な説明】
【技術分野】
【０００１】
本考案は、板の間、フローリング床、じゅうたんを敷いた洋室等の室内のみならず、室外の平坦な場所に台座ユニットを設置し、必要に応じて複数枚の畳を敷き詰めて簡易な畳座敷を造ることのできる分解と持ち運びの容易な高床座敷に関するものである。
【背景技術】
【０００２】
従来から建物のフロアーの片隅などに畳敷きの場所を作るための畳床収納ボックスユニット１０が提案されている（特許文献１）。
この畳床収納ボックスユニット１０は、図９に示すように、方形の箱体１３の上端開口部に上蓋１４を開閉自在に取り付けて畳床収納ボック１１を構成し、この畳床収納ボック１１の上に畳１５を載せたものを１つの単位として、リビング１２の片隅などに複数個を長方形又は正方形に配置して、外周を前框１７と化粧板１８で包囲し、前框１７の角部分をコーナー材１９で固定して構成されている。
この例では、半畳の畳床収納ボック１１の上に半畳の畳１５を載置したものを９個並べて４．５畳とした例を示している。
【０００３】
使用に際しては、リビング１２の片隅に、畳床収納ボックスユニット１０の座敷が形成されて使用される。
該当する畳床収納ボック１１の中から収納物を取り出したり、収納物を収納したりするときには、先ず畳１５が取り外され、次いで、上蓋１４がスライド蝶番１６を支点として開口して行う。
また、図１０（ａ）（ｂ）に示すように、１つの畳床収納ボック１１の上蓋１４を除いて框２３を嵌め込み、この框２３の４隅の脚部置場２２にこたつ２０の脚部２１を載せるようにした使用方法が提案されている。
【特許文献１】特許第３４４５１４４号公報
【考案の開示】
【考案が解決しようとする課題】
【０００４】
上記従来方法では、複数個の畳床収納ボック１１を並べて構成するので、リビング１２の並べる部分がすべて平らでないと敷設することができない。そのため、板の間、フローリング床、じゅうたんを敷いた洋室、コンクリート面など、平坦なところに設置する場合に限られる。
また、畳床収納ボック１１は、物を収納することと畳を載置することを兼用するから、畳座敷として使用しないときの畳床収納ボックスユニット１０の片付けに大きな倉庫などの収納場所を必要とする。
複数個の畳床収納ボック１１は、前框１７と化粧板１８で包囲するから、前框１７と化粧板１８の長さによって、形成される畳座敷の形状が限られてしまい、融通性に欠ける。
などの問題点があった。
本考案は、床などの台座ユニットを設置するところに多少の凹凸があっても使用可能で、不使用時には嵩張らずに収納でき、また、形成される畳座敷の形状に限定されることのない高床座敷を提供することを目的とするものである。
【課題を解決するための手段】
【０００５】
本考案の高床座敷は、方形の水平枠３０に脚３１を設けた台座ユニット２５と、この台座ユニット２５の水平枠３０の部分を複数個互いに連結する連結具２６と、前記台座ユニット２５の上に載せられる支持板２７と、この支持板２７の一部又は全部に載せられる畳２８とを具備し、前記支持板２７の下面に、水平枠３０の角隅に嵌合して位置ずれを防止するダボ３６を設け、前記台座ユニット２５の脚３１は、折り畳み自在としたことを特徴とするものである。
また、複数個の台座ユニット２５を連結具２６で互いに連結した一部の台座ユニット２５を取り除いてテーブル設置穴３９とし、このテーブル設置穴３９に昇降機４０で昇降可能なテーブル４２を設けたことを特徴とするものである。
【考案の効果】
【０００６】
請求項１記載の考案によれば、高床座敷は、方形の水平枠３０に脚３１を設けた台座ユニット２５と、この台座ユニット２５の水平枠３０の部分を複数個互いに連結する連結具２６と、前記台座ユニット２５の上に載せられる支持板２７とを具備したので、分解と持ち運びの容易な高床座敷を得ることができる。また、板の間、フローリング床、じゅうたんを敷いた洋室のみならず、コンクリート面など、部分的に平坦なところであれば、室内のみならず、室外にも設置することができる。さらに、形成される畳座敷の形状を正方形、長方形のみならず、Ｌ字形、コ字形などの形状に敷き詰めた高床座敷を提供することができる。
【０００７】
請求項２記載の考案によれば、高床座敷は、方形の水平枠３０に脚３１を設けた台座ユニット２５と、この台座ユニット２５の水平枠３０の部分を複数個互いに連結する連結具２６と、前記台座ユニット２５の上に載せられる支持板２７と、この支持板２７の一部又は全部に載せられる畳２８とを具備したので、分解と持ち運びの容易な畳の高床座敷を得ることができる。
【０００８】
請求項３記載の考案によれば、支持板２７の下面に、水平枠３０の角隅に嵌合して位置ずれを防止するダボ３６を設けたので、支持板２７の下面のダボ３６を、水平枠３０の角隅に嵌合するだけで、簡単に、かつ、確実に組立ができる。
【０００９】
請求項４記載の考案によれば、台座ユニット２５の脚３１は、折り畳み自在としたので、畳座敷として使用しないときの片付けに大きな倉庫などの収納場所を必要としない。
【００１０】
請求項５記載の考案によれば、複数個の台座ユニット２５を連結具２６で互いに連結した一部の台座ユニット２５を取り除いてテーブル設置穴３９とし、このテーブル設置穴３９に昇降機４０で昇降可能なテーブル４２を設けたので、腰掛式のテーブルとして使用することができるとともに、全体が平らな座敷とすることもできる。
【００１１】
請求項６記載の考案によれば、方形の水平枠３０に脚３１を設けた台座ユニット２５と、この台座ユニット２５の水平枠３０の部分を複数個互いに連結する連結具２６と、前記台座ユニット２５の上に載せられる支持板２７と、この支持板２７の一部又は全部に載せられる畳２８とを具備し、前記支持板２７の下面に、水平枠３０の角隅に嵌合して位置ずれを防止するダボ３６を設け、前記台座ユニット２５の脚３１は、折り畳み自在とし、複数個の台座ユニット２５を連結具２６で互いに連結した一部の台座ユニット２５を取り除いてテーブル設置穴３９とし、このテーブル設置穴３９に昇降機４０で昇降可能なテーブル４２を設けたので、腰掛式の座敷とすることができるとともに、全体が平らな座敷とすることもできる。
【００１２】
請求項７記載の考案によれば、方形の水平枠３０に脚３１を設けた台座ユニット２５と、この台座ユニット２５の水平枠３０の部分を複数個互いに連結する連結具２６と、前記台座ユニット２５の上に載せられる支持板２７と、この支持板２７の一部又は全部に載せられる畳２８とを具備し、前記支持板２７の下面に、水平枠３０の角隅に嵌合して位置ずれを防止するダボ３６を設け、前記台座ユニット２５の脚３１は、折り畳み自在とし、複数個の台座ユニット２５を連結具２６で互いに連結した一部の台座ユニット２５を取り除いてテーブル設置穴３９とし、このテーブル設置穴３９に着脱自在のこたつやぐら４３を設けたので、腰掛式のこたつ座敷とすることができるとともに、全体が平らな座敷とすることもできる。
【考案を実施するための最良の形態】
【００１３】
本考案による高床座敷は、方形の水平枠３０に脚３１を設けた台座ユニット２５と、この台座ユニット２５の水平枠３０の部分を複数個互いに連結する連結具２６と、前記台座ユニット２５の上に載せられる支持板２７とを具備したもので、さらに、前記支持板２７の一部又は全部に載せられる畳２８とを具備することで、分解と持ち運びの容易な畳の高床座敷を得ることができる。
【００１４】
支持板２７の下面に、水平枠３０の角隅に嵌合して位置ずれを防止するダボ３６を設けたり、台座ユニット２５の脚３１は、折り畳み自在としたり、複数個の台座ユニット２５を連結具２６で互いに連結した一部の台座ユニット２５を取り除いてテーブル設置穴３９とし、このテーブル設置穴３９に昇降機４０で昇降可能なテーブル４２を設けたりすることもできる。
【実施例１】
【００１５】
図１及び図２において、本考案の高床座敷９は、単位大きさの台座ユニット２５と、複数個の台座ユニット２５を連結する連結具２６と、それぞれの台座ユニット２５の上に載せられる支持板２７と、この支持板２７の上に載置される畳２８とからなる。
前記畳２８は、一例として、一辺の長さが５０×５０ｃｍの正方形で、厚さが１５ｃｍとする。しかし、これらの長さと厚さは、使用目的により上記以外とすることもできる。上記以外に、例えば、一辺の長さが１００×１００ｃｍの正方形としたり、一辺の長さが５０×１００ｃｍの長方形としたりすることができる。また、厚さは１５〜６０ｍｍとする。
この畳２８は、畳床の表面を畳表で覆い、この畳表の２辺には、縁布３８が巻き付け固定され、他の２辺は、畳表を畳床の裏まで巻き込んで縫い付け固定する。前記畳２８の裏面には、ゴムなどのノンスリップ材４５が取り付けられている。
【００１６】
前記支持板２７は、厚さが１０〜４０ｍｍ程度の木製板材などからなり、前記畳２８よりも両側でそれぞれ５ｍｍ程度ずつ、全体で約１０ｍｍ程度の幅をやや狭くし、畳２８の縁布３８が内側に斜めに切り込まれていることによる支持板２７の飛び出しをなくしている。この支持板２７の裏面の４隅には、リング３７が平らになるように嵌め込まれて接着剤などで固着され、このリング３７に、ずれ防止のためのダボ３６が下方に突出してねじ込み等で設けられている。
【００１７】
前記台座ユニット２５は、金属の角パイプを４角に溶接した水平枠３０と、この水平枠３０の下面に取り付けられた複数本の脚３１と、この脚３１の補強枠３２とからなり、前記水平枠３０の内側角に図２（ｂ）に示すように、前記ダボ３６が嵌合して位置ずれを防止する。この水平枠３０は、前記支持板２７よりも両側でそれぞれ５ｍｍ程度ずつ、従って、前記畳２８よりも両側でそれぞれ１０ｍｍ程度ずつ幅をやや狭く形成している。台座ユニット２５の高さは、台座ユニット２５と支持板２７と畳２８を重ねたときの高さが４００ｍｍ程度になるように、例えば、支持板２７が２０ｍｍ、畳２８が１５ｍｍとすると、台座ユニット２５の高さは３６５ｍｍとする。
この台座ユニット２５の脚３１は、折り畳みとすることにより、不使用時の収納の嵩張りを少なくすることができる。
【００１８】
前記連結具２６は、ボルト３３とナット３４とスペーサ３５からなり、スペーサ３５は、相隣の畳２８が隙間なく接するように厚さが２０ｍｍに形成されている。
【００１９】
以上のように構成された台座ユニット２５，連結具２６，支持板２７，畳２８を持って高床座敷９を組み立てる順序を説明する。
どの程度の広さの高床座敷９をどのような形に組み立てるかによって、台座ユニット２５の数が決められる。例えば、１辺が２００ｃｍの正方形の高床座敷９を組み立てるには、４×４＝１６個の台座ユニット２５を連結具２６にて順次連結する。図２（ａ）に示すように、２つの台座ユニット２５を連結するときに、間にスペーサ３５を挟み、ボルト３３を水平枠３０の組立孔４６に通してナット３４で固着する。折り畳みの脚３１であれば立ち上げる。
すべての台座ユニット２５が連結されたら、それぞれの台座ユニット２５の水平枠３０の内側に、支持板２７のダボ３６を嵌め込みつつ台座ユニット２５に支持板２７を載置する。この支持板２７の上に畳２８を載せる。このとき、相隣の畳２８が隙間なく接するように載せることで、畳２８と支持板２７の周縁は、略一致した状態となる。また、畳２８のノンスリップ材４５が支持板２７の上に接して畳２８の位置ずれが防止される。
なお、２つの台座ユニット２５を連結するときに、間にスペーサ３５兼用の袋ナットを介在し、連結する２本の水平枠３０の両側からそれぞれボルト３３を水平枠３０の組立孔４６に通して袋ナット３４で螺合して固着する。
【実施例２】
【００２０】
図１の実施例では、１台の台座ユニット２５の大きさが、１枚の畳２８と対応する大きさとした。しかし、この例に限られるものではなく、図３に示すように、１台の台座ユニット２５の大きさが、４枚の畳２８と対応する大きさとし、水平枠３０の中央に畳２８を載せるとともに補強を兼ねた中桟４１を設けたものを順次連結具２６で連結するものであってもよい。
また、図１に示した台座ユニット２５を４台連結して、この４台分の大きさの畳２８を載せるようにしたり、図１に示した台座ユニット２５を２台連結して、この２台分の大きさの長方形の畳２８を載せるようにしたりすることもできる。
【実施例３】
【００２１】
図４は、図１に示した台座ユニット２５を３×３の配置をする場合において、中央の台座ユニット２５を除いてテーブル設置穴３９とし、このテーブル設置穴３９に昇降機４０によって昇降可能なテーブル４２を配置することができる。
図５は、正方形の台座ユニット２５×４台と、縦のみ半分の長さの長方形の台座ユニット２５×２台とを配置するとともに、図８に示すような正方形の畳２８と縦のみ半分の長さの畳２８ａとを使用して、中央にテーブル設置穴３９を形成し、このテーブル設置穴３９に昇降機４０によって昇降可能なテーブル４２を配置することができる。
この図４と図５の場合において、テーブル４２を使用しないときには、図６の鎖線のように、テーブル４２を昇降機４０で下げて畳２８を他の畳２８と同一高さに載せて平坦な座敷として使用することができる。
【実施例４】
【００２２】
図６の例では、テーブル４２を昇降機４０で昇降できるようにしたが、このテーブル４２に代えてテーブル設置穴３９に、こたつやぐら４３を載せることもできる。この場合において、こたつやぐら４３の脚４４を台座ユニット２５の水平枠３０に載せるようにする。
【実施例５】
【００２３】
前記実施例では、支持板２７の上に畳２８を載せて高床座敷９を形成したが、これに限られるものではなく、畳２８のない支持板２７のみとすることもできる。
また、複数枚の支持板２７の一部に畳２８を載せ、他は、支持板２７のままとすることもできる。この場合、畳２８と支持板２７の高さを同一とするために、支持板２７のままとする箇所の支持板２７の厚さを畳２８のある箇所の高さと同一とするようにすることが望ましい。
【図面の簡単な説明】
【００２４】
【図１】本考案による高床座敷の実施例１を示す一部切り欠いた平面図である。
【図２】（ａ）は、図１におけるＡ−Ａ線断面図、（ｂ）は、一部の底面図である。
【図３】実施例２の台座ユニット２５を示す平面図である。
【図４】昇降式テーブル４２をセットした実施例３の高床座敷を示す平面図である。
【図５】昇降式テーブル４２をセットした実施例３の高床座敷の他の例を示す平面図である。
【図６】図４及び図５における側面図である。
【図７】こたつやぐら４３をセットした実施例４の高床座敷を示す平面図である。
【図８】（ａ）は、正方形の畳２８の平面図、（ｂ）は、長方形の畳２８ａの平面図である。
【図９】従来の畳床収納ボックスユニットの斜視図である。
【図１０】（ａ）は、図９において、こたつ２０としての使用例を示す側面図、（ｂ）は、（ａ）において、こたつ２０を除いた平面図である。
【符号の説明】
【００２５】
１０…畳床収納ボックスユニット、１１…畳床収納ボック、１２…リビング、１３…箱体、１４…上蓋、１５…畳、１６…スライド蝶番、１７…前框、１８…化粧板、１９…コーナー材、２０…こたつ、２１…脚部、２２…脚部置場、２３…框、２５…台座ユニット、２６…連結具、２７…支持板、２８…畳、２９…床、３０…水平枠、３１…脚、３２…補強枠、３３…ボルト、３４…ナット、３５…スペーサ、３６…ダボ、３７…リング、３８…縁布、３９…テーブル設置穴、４０…昇降機、４１…中桟、４２…テーブル、４３…こたつやぐら、４４…脚、４５…ノンスリップ材、４６…組立孔。
【図１】
0003127227.tif 000003
【図２】
0003127227.tif 000004
【図３】
0003127227.tif 000005
【図４】
0003127227.tif 000006
【図５】
0003127227.tif 000007
【図６】
0003127227.tif 000008
【図７】
0003127227.tif 000009
【図８】
0003127227.tif 000010
【図９】
0003127227.tif 000011
【図１０】
0003127227.tif 000012